(57)【要約】【課題】  自動取引装置において、記録済みのジャーナルが明細票発行装置に誤セットされることを回避する。【解決手段】  自動取引装置には、ロール紙に取引結果をジャーナルとして記録しながら巻き取り収納するジャーナル記録装置が設けられている。ジャーナル記録装置は、ロール紙が終端に来ると、エンドマークＥＭを印刷する。明細票発行装置は、明細書発行用のロール紙２２０がセットされると、印字ヘッド２１８によって、ロール紙２２０にテストパターンＴＰを印刷し、マーク検知センサ２１２で印字の適否を判定する。明細票発行装置は、この機能を利用して、更に、エンドマークＥＭの有無を検出し、印字済みのジャーナルの誤セットを検知する。エンドマークＥＭはテストパターンＴＰよりも大きいため、テストパターンＴＰが印刷されたとしても、エンドマークＥＭの有無を検出することが可能である。【選択図】  図４
2005182276.tif 000002
【特許請求の範囲】
【請求項１】
自動取引装置であって、
ロール紙に取引の明細を印刷して、明細票を発行する明細票発行部と、
ロール紙に取引記録を印字するとともに、印字済みのロール紙を巻き取り収納するジャーナル記録部とを備え、
前記明細票発行部は、
前記ロール紙の端部に、前記印字済みのロール紙に固有のエンドマークが存在するか否かを検出する検出センサと、
前記検出の結果に基づき、セットされたロール紙が、前記印字済みのロール紙か否かを判定する判定部とを備える自動取引装置。
【請求項２】
請求項１記載の自動取引装置であって、
前記エンドマークは、前記テストパターンよりも面積が大きい、前記テストパターンの印刷位置と異なる位置に設けられている、および前記テストパターンよりも濃度が濃い、の少なくとも一つの条件を満たす態様で設けられている自動取引装置。
【請求項３】
請求項１または２記載の自動取引装置であって、
前記ジャーナル記録部は、前記印字過程で、前記ロール紙の終端部に、前記固有のエンドマークを記録する自動取引装置。
【請求項４】
請求項１〜３いずれか記載の自動取引装置であって、
前記明細票発行部は、前記ロール紙の端部に、印字状態の適否を判別するためのテストパターンを印刷するテストパターン印刷部を備え、
前記検出センサは、前記テストパターンの印字状態を検出可能であり、
前記エンドマークは、前記テストパターンの印刷によっては隠滅不能な状態で設けられている自動取引装置。
【発明の詳細な説明】
【技術分野】
【０００１】
本発明は、明細票の発行とジャーナルの記録に共通のロール紙を使用可能な自動取引装置に関する。
【背景技術】
【０００２】
現金自動取引装置では、取引ごとにユーザに対して明細票を印刷し、発行する。併せて、装置内では、取引記録をジャーナルとして印刷している。従来は、明細票の印刷には、予め金融機関名や枠線が印刷されたロール紙が使用されていた。近年では、明細票発行時にこれらの枠線も印刷することにより、明細票発行用、ジャーナル用共に、白紙のロール紙を使用可能とする提案がなされている（特許文献１参照）。
【０００３】
これらのロール紙は、感熱紙が用いられることが多い。感熱紙は、感熱コートが施された表面にしか印字できない。また、紫外線の影響で印字が薄れる可能性がある。こうした特性を考慮して、明細票を発行する装置には、ロール紙がセットされた時点で、テストパターンを試し印刷し、このテストパターンの印刷状態に基づいて表裏の誤セットを検知する機構が設けられている。ジャーナルを記録する装置には、印刷後、印字面を内側にしてロール紙を巻き取り収納することにより印字面を保護する機構が設けられている。
【０００４】
【特許文献１】特開平８−１８７９０８号公報
【発明の開示】
【発明が解決しようとする課題】
【０００５】
明細票用のロール紙と、ジャーナル用のロール紙の共通化を図った場合、印字済みのジャーナルを未使用のロール紙と誤って明細票の発行装置にセットする可能性が出てきた。印字面を内側にして巻き取り収納されたジャーナルは、一見しただけでは未使用のロール紙と区別しづらいからである。ジャーナルは、重要な取引記録であるとともに、秘密に保持されるべき情報を記録しているため、印字済みのジャーナルが明細票に誤使用される可能性は極力抑制されるべきである。かかる課題は、現金自動取引装置のみならず、明細票とジャーナルに共通のロール紙を適用可能な自動取引装置に共通である。本発明は、このような自動取引装置において、印字済みのジャーナルを明細票の発行装置に誤セットする可能性を抑制することを目的とする。
【課題を解決するための手段】
【０００６】
本発明の自動取引装置は、明細票発行部とジャーナル記録部を有する。明細票発行部は、ロール紙に取引の明細を印刷する。ジャーナル記録部は、ロール紙に取引記録を印字するとともに、印字済みのロール紙を巻き取り収納する。明細票発行部は、ロール紙の端部に、印字済みのロール紙に固有のエンドマークが存在するか否かを検出し、この結果に基づいて、セットされたロール紙が、印字済みか否かを判定する。印字済みと判定された場合には、管理者に警告表示、警報音などによって報知したり、装置の動作を停止させたりすることができる。こうすることで、ジャーナルとして印字済みのロール紙が明細票の発行に誤使用される可能性を抑制できる。
【０００７】
エンドマークは、予めロール紙に設けられていても良い。印字済みのロール紙を巻き取り収納する場合、未使用のロール紙の最外周にくる始端は印字後には最内周に巻き取られ、終端は最外周に現れるようになる。従って、予め終端部分にエンドマークを設けたロール紙を用いれば、エンドマークの有無によって印字済みか否かを判別することが可能となる。
【０００８】
これに対し、ジャーナル記録部が、印字過程で、ロール紙の終端部にエンドマークを記録するように構成しても構わない。こうすれば、予めエンドマークが設けられた専用紙に限らず、種々のロール紙を適用可能となるため、利便性が向上する。
【０００９】
エンドマークは、種々の形式で設けることができる。例えば、紙面への印刷、パンチ穴や切り欠き、エンボス加工などの態様を採ることができる。これらの中では、印刷が最も簡便であるという点で好ましい。
【００１０】
本発明の自動取引装置において、明細票発行部が、ロール紙の端部に印字状態の適否を判別するためのテストパターンを印刷可能としてもよい。エンドマークは、テストパターンの印刷によっては隠滅不能な状態で設けるものとする。こうすれば、テストパターンが印字された状態でも、エンドマークの有無の検出が可能となる。従って、テストパターンの印字状態の検出と、エンドマークの有無の検出でセンサを共用することが可能となり、装置構成の簡素化を図ることができる。
【００１１】
隠滅不能な状態としては、例えば、エンドマークが、テストパターンよりも面積が大きい、テストパターンの印刷位置と異なる位置に設けられている、テストパターンよりも濃度が濃いなどの態様が挙げられる。その他、エンドマークがパンチ穴や切り欠き、エンボス加工などであってもよい。エンドマークは、少なくとも検出センサの検知可能範囲で隠滅不能であれば足り、その他の部位ではテストパターンによって隠滅されても構わない。
【００１２】
本発明は、上述した自動取引装置としての態様の他、印字済みのロール紙が誤セットされたか否かを検出可能な明細票発行装置、印字済みのロール紙であることを示す固有のエンドマークを印字可能なジャーナル記録装置として構成してもよい。また、チェックマークを利用して印字済みのロール紙が誤セットされたか否かを検出する検出方法として構成してもよい。更に、かかる検出を自動取引装置に実現させるためのコンピュータプログラム、およびそのコンピュータプログラムを記録した記憶媒体として構成してもよい。
【００１３】
ここで、記憶媒体としては、フレキシブルディスクやＣＤ−ＲＯＭ、ＤＶＤ、光磁気ディスク、ＩＣカード、ＲＯＭカートリッジ、パンチカード、バーコードなどの符号が印刷された印刷物、コンピュータの内部記憶装置（ＲＡＭやＲＯＭなどのメモリ）および外部記憶装置などコンピュータが読取り可能な種々の媒体を利用できる。
【発明を実施するための最良の形態】
【００１４】
本発明の実施例について以下の順序で説明する。
Ａ．装置構成：
Ａ１．全体構成：
Ａ２．明細票発行装置：
Ａ３．ジャーナル記録装置：
Ｂ．エンドマークおよびテストパターン：
Ｃ．動作制御：
Ｃ１．ジャーナル記録処理：
Ｃ２．用紙点検処理：
Ｄ１．第１変形例：
Ｄ２．第２変形例：
Ｄ３．その他の変形例：
【００１５】
Ａ．装置構成：
Ａ１．全体構成：
図１は実施例としての現金自動取引装置（以下、「ＡＴＭ」と言う）１００の概略構成を示す説明図である。ＡＴＭ１００は、銀行などに設置され、ユーザの操作に応じて入出金処理を行うための装置である。
【００１６】
ＡＴＭ１００には、次のユニットが図示する配置で備えられている。カード取扱機構１０４は、いわゆるキャッシュカードなど磁気ストライプカードに記録された情報を読みとる。カードに記録された情報には、例えば、金融機関番号、科目、ユーザの口座番号などが含まれる。
【００１７】
操作部１０２は、入出金取引のための情報表示および入出金のための操作入力を行うためのユーザとのインタフェースである。操作部１０２は、タッチパネル、またはディスプレイと押しボタンスイッチの組み合わせなどによって構成される。
【００１８】
ユーザとの紙幣の授受は、入出金口１０３を通じて行われる。入金時には、ユーザが入出金口１０３に入れた紙幣は、内蔵の紙幣取扱装置１０１によって、鑑別され、金種ごとに分類されて保管される。出金時には、紙幣取扱装置１０１は、ユーザの指示した金額分の紙幣を繰り出し、入出金口１０３からユーザに受け渡す。
【００１９】
明細票発行装置２００は、取引ごとに、これらの取引の内容を記録した明細票を発行する。ジャーナル記録装置３００は、取引の結果をジャーナルとして印字記録する。明細票発行装置２００およびジャーナル記録装置３００については、後で構成を詳述する。
【００２０】
ＡＴＭ１００の各ユニットの動作は、制御ユニット４００によって制御される。制御ユニット４００は、内部にＣＰＵ、メモリを備えたマイクロコンピュータとして構成されている。制御ユニット４００は、図中に矢印で示す通り、各ユニットと情報の授受を行い、ＡＴＭ１００全体の動作を制御する。制御ユニット４００は、また、ホストコンピュータ１０と通信回線で接続されている。制御ユニット４００が、取引に関する情報をホストコンピュータ１０に送信することにより、ユーザの口座への入出金などの処理がホストコンピュータ１０で行われる。
【００２１】
Ａ２．明細票発行装置：
図２は明細票発行装置２００の内部構造を模式的に示した説明図である。明細票はロール紙２２０に印刷される。ロール紙２２０は、図中の矢印の方向に回転する時に始端２２０ａが繰り出される向きに、ホッパ２０８によって支持されている。ロール紙２２０の下端には、ロール紙２２０に接触するように分離ローラ２０６が設けられている。分離ローラ２０６が矢印の向きに回転すると、ロール紙２２０も回転し、始端２２０ａが分離して繰り出される。
【００２２】
ロール紙２２０の始端２２０ａは、プラテンローラ２０４によって、搬送路２０２を搬送される。以下、説明の便宜上、搬送方向に沿って、ホッパ２０８側を上流、逆側を下流と呼ぶものとする。
【００２３】
搬送路には途中、印字ヘッド２１８が設けられている。ロール紙２２０は感熱紙であり、印字ヘッド２１８は、かかるロール紙２２０に印字するためのサーマルヘッドである。印字ヘッド２１８は、ロール紙２２０の感熱面に接触する場合にのみ印字することができる。仮に、図中の下側が感熱面となるようロール紙２２０がセットされている場合は、印字ヘッド２１８は印字を行うことができない。
【００２４】
印字ヘッド２１８の下流には、明細票を裁断するためのカッタ２１６およびマーク検知センサ２１２が設けられている。マーク検知センサ２１２は、印字ヘッド２１８による印字が行われたか否かを検出可能な光学センサである。搬送路２０２およびホッパ２０８には、更に、ロール紙２２０および始端２２０ａの有無を検出するため、種々の部位に光学センサ２１４が設けられている。
【００２５】
明細票発行装置２００の動作は、制御ユニット２１０によって制御される。制御ユニット２１０は、内部にＣＰＵ、ＲＯＭ、ＲＡＭなどを備えたマイクロコンピュータとして構成されており、予めＲＯＭに用意されたプログラムに従って、明細票発行制御およびロール紙２２０の用紙点検処理を実行する。明細票発行制御は、取引時に明細票を印字発行する処理である。用紙点検処理は、新しいロール紙２２０がセットされた時点および明細票発行装置２００が起動された時点で実行される処理であり、適正なロール紙２２０が適正な状態でセットされているか否かを点検するための処理である。
【００２６】
Ａ３．ジャーナル記録装置：
図３はジャーナル記録装置３００の内部構造を模式的に示した説明図である。ジャーナルはロール紙３２０に印刷される。ロール紙３２０は、図中の矢印の方向に回転する時に繰り出される向きに、ホッパ３０８によって支持されている。繰り出されたロール紙３２０ａの搬送路は、プラテンローラ３０４および搬送ローラ３０５によって規定される。
【００２７】
印字済みのロール紙３２２は、図の下方に示す通り、モータで駆動されるスプール３０６によって巻き取り収納される。未使用のロール紙３２０の最外周に位置する始端は、スプール３０６の最内周に位置することになる。スプール３０６に巻き取られた状態では、未使用のロール紙３２０の終端が最外周に現れることになる。以下、説明の便宜上、搬送方向に沿って、ホッパ３０８側を上流、スプール３０６側を下流と呼ぶものとする。
【００２８】
搬送路には途中、印字ヘッド３１８が設けられている。ロール紙３２０は明細票発行装置２００にも共通して使用可能な感熱紙であり、印字ヘッド３１８は、かかるロール紙３２０に印字するためのサーマルヘッドである。印字ヘッド３１８は、図中の右側が感熱面となるようロール紙３２０がセットされている場合にのみ印字を行うことができる。印字済みロール紙３２２は、印字面を内側にしてスプール３０６に巻き取られることになる。
【００２９】
印字ヘッド３１８の上流には、ロール紙３２０を裁断するための手動カッタ３１６およびエンドセンサ３１２が設けられている。エンドセンサ３１２は、ロール紙３２０の終端を検出可能な光学センサである。搬送路上には、更に、ロール紙３２０の有無および印字状態を検出するため、種々の部位に光学センサ３１４が設けられている。
【００３０】
ジャーナル記録装置３００の動作は、制御ユニット３１０によって制御される。制御ユニット３１０は、内部にＣＰＵ、ＲＯＭ、ＲＡＭなどを備えたマイクロコンピュータとして構成されており、予めＲＯＭに用意されたプログラムに従って、ジャーナルの記録およびエンドマークの印刷を行う。エンドマークの印刷処理とは、ロール紙３２０の終端が検知された時点で、印刷済みのロール紙であることを示すエンドマークを印字面に印刷する処理である。
【００３１】
このエンドマークは、スプール３０６に巻き取られた状態では、最外周に位置するから、印字済みのロール紙３２２を誤って再使用する場合、エンドマークは始端に現れることになる。
【００３２】
Ｂ．エンドマークおよびテストパターン：
図４はエンドマークとテストパターンを示す説明図である。図は明細票発行装置２００を上面から見た状態を模式的に示した。ホッパにセットされたロール紙２２０が、矢印方向に、印字ヘッド２１８およびマーク検知センサ２１２を通過して搬送された状態を示した。ここでは、説明の便宜上、ジャーナルが印字済みのロール紙が誤ってセットされた状態を例にとって示してある。図中Ｐ１は、ロール紙２２０の始端が印字ヘッド２１８を通過する前の状態を示し、Ｐ２は印字ヘッド２１８および検知センサ２１２を通過後の状態を示している。
【００３３】
位置Ｐ１にはエンドマークＥＭ（図中のハッチングの部分）を示した。先に説明した通り、印字済みのロール紙を誤って使用した場合には、このように始端側にエンドマークＥＭが現れることになる。エンドマークＥＭは、始端から距離Ｌ１の位置に、搬送方向に長さＬ２に亘って矩形状に黒く塗りつぶされたマークである。搬送方向に直交する方向の位置および幅は、マーク検知センサ２１２の位置および検知範囲に合うように決められている。
【００３４】
位置Ｐ２には、印字ヘッド２１８によって、テストパターンＴＰ（図中のクロスハッチの部分）が印刷された状態を示した。テストパターンＴＰは、始端から距離Ｌ１の位置に、搬送方向に長さＬ３に亘って矩形状に黒くぬりつぶされたマークである。
【００３５】
搬送方向の長さＬ３は、エンドマークＥＭの長さＬ２よりも短いため、テストパターンＴＰが印刷されても、エンドマークＥＭは隠滅されない。つまり、エンドマークＥＭが既に印刷されている状態では、テストパターンＴＰが印刷された後でも、エンドマークＥＭは外見上、変化は見られない。これに対し、エンドマークＥＭが印刷されていない未使用のロール紙の場合には、長さＬ３のテストパターンＴＰが明確に印刷される。
【００３６】
従って、マーク検知センサ２１２でマークの長さを検知することにより、ロール紙２２０の状態を次の通り特定することができる。まず、エンドマークおよびテストパターンＴＰのいずれも検出されない場合には、ロール紙２２０の印字面が表裏逆向きにセットされていると判断できる。マークの長さがほぼＬ２である場合には、ジャーナルが印字済みのロール紙が誤ってセットされていると判断できる。マークの長さがほぼＬ３である場合には、未使用のロール紙２２０が印字面の向きも含めて適正にセットされていると判断できる。
【００３７】
Ｃ．動作制御：
上述の原理によって明細票発行装置２００が、ロール紙２２０のセットの適否を判断するための制御処理について説明する。この制御には、ジャーナル記録装置３００によって、適切にエンドマークを印刷するために処理、明細票発行装置２００が、このエンドマークを利用して、用紙の適否を判定する処理が含まれる。
【００３８】
Ｃ１．ジャーナル記録処理：
図５はジャーナル記録処理のフローチャートである。ジャーナル記録装置３００の制御ユニット３１０が実行する処理である。
【００３９】
制御ユニット３１０は、取引が行われると、その結果をＡＴＭ１００の制御ユニット４００から読み込み（ステップＳ１０）、ロール紙３２０を搬送して、取引結果をジャーナルとして印字する（ステップＳ１２）。
【００４０】
その後、制御ユニット３１０は、エンドセンサ３１２がロール紙３２０の終端を検知したか否かを判断し（ステップＳ１４）、終端を検知した場合には、印字ヘッド３１８によってエンドマークを印字する（ステップＳ１６）。終端を検知しない場合には、この処理を終了する。この処理によって、印字済みのロール紙の終端には、図４に示したエンドマークが印刷されることになる。エンドマークは、ロール紙３２０を最後まで使い切った場合、およびロール紙３２０を途中でカットした場合のいずれにおいても印刷される。
【００４１】
Ｃ２．用紙点検処理：
図６は用紙点検処理のフローチャートである。新たにロール紙２２０がセットされた時点および起動時に、明細票発行装置２００の制御ユニット２１０が実行する処理である。
【００４２】
この処理が開始されると、制御ユニット２１０は、ロール紙２２０の先端が正常に分離したか否かを判断する（ステップＳ２１）。例えば、ロール紙２２０がセットされているにも関わらず、いずれの光学センサ２１４も用紙の始端２２０ａを検知しない場合には、分離されていないと判断することができる。正常に分離されていない場合には、ロール紙２２０が逆向きにセットされていると判断できるため、制御ユニット２１０は、用紙セットエラー処理を実行する（ステップＳ２６）。この処理としては、例えば、警告表示や音声によって、係員にエラーを報知したり、ＡＴＭの動作を停止したりする処理が挙げられる。
【００４３】
用紙が正常に分離し、搬送されている場合には、制御ユニット２１０は印字ヘッド２１８を制御して、テストパターンの印字を行う（ステップＳ２２）。また、マーク検知センサ２１２によって用紙上のマークサイズＬ、即ち搬送方向の塗りつぶし部分の長さを検出する（ステップＳ２３）。マークサイズＬは、例えば、黒く塗りつぶされていることを示す出力が得られている時間と、搬送速度との積によって求めることができる。
【００４４】
こうしてマークサイズＬの検出結果が異常な場合（ステップＳ２４）、例えば、マークが検出されない場合には、制御ユニット２１０は、ロール紙の感熱面が裏側にあると判断し、用紙セットエラー処理を行う（ステップＳ２６）。ステップＳ２４では、マークサイズＬがテストパターンの長さＬ３よりも十分に小さい時に異常と判断することができ、例えば、Ｌ＜（Ｌ３／２）の時に異常と判断することができる。
【００４５】
次に、制御ユニット２１０は、マークサイズＬと閾値Ｔｈとを比較する（ステップＳ２５）。閾値Ｔｈは、マークサイズＬによって、テストパターンとエンドマークとを識別するための基準値である。閾値Ｔｈは、テストパターン長さＬ３とエンドマーク長さＬ２の間で任意に設定可能であり、例えば、（Ｌ２＋Ｌ３）／２とすることができる。
【００４６】
マークサイズＬが閾値Ｔｈ以上の場合には、用紙の先端には、図４で説明した通りエンドマークが印刷されていることを意味し、ジャーナルが字済みのロール紙が誤ってセットされていることを意味する。従って、制御ユニット２１０は、用紙セットエラー処理を実行する（ステップＳ２６）。
【００４７】
マークサイズＬが閾値Ｔｈよりも小さい場合には、未使用のロール紙に正常にテストパターンが印刷されていることを意味するため、制御ユニット２１０は、用紙点検処理を終了する。
【００４８】
以上で説明した実施例のＡＴＭによれば、明細票発行装置２００は、ロール紙の先端に付されたマークに基づきセット状態の適否を判断することができる。特に、エンドマークの有無によって、印字済みのジャーナルが誤セットされているか否かを判断することができる。本実施例では、エンドマークのサイズがテストパターンよりも大きいため、テストパターンを印刷した後も隠滅されない。従って、印字ヘッド２１８による印字の適否の検査と併せて、印字済みのジャーナルの誤セットの検査を行うことができる利点もある。
【００４９】
Ｄ１．第１変形例：
図７は第１変形例としてのエンドマークおよびテストパターンを示す説明図である。両マークともに、搬送方向の長さはＬ１２で共通の場合を例示したが、異なっていても構わない。第１変形例では、エンドマークＥＭ１は、始端からＬ１１の位置に印刷されるのに対し、テストパターンＴＭ１は始端からＬ１３の位置に印刷される。従って、位置Ｐ２に示すように、テストパターンＴＭ１が印刷されても、エンドマークＥＭ１は隠滅されない。
【００５０】
第１変形例のように両マークの位置をずらしても、実施例と同じくロール紙のセット状態の適否を判断することができる。即ち、マークが正常に検出されない場合は、未使用のロール紙が、感熱面を裏側にしてセットされていると判断できる。マークが始端からほぼＬ１１の位置に検出される場合は、エンドマークＥＭ１が印刷されており、印刷済みのジャーナルが誤セットされているものと判断できる。マークが始端からほぼＬ１３の位置に検出される場合は、テストパターンＴＭ１のみが印刷されており、未使用のロール紙が適正にセットされているものと判断できる。
【００５１】
図示する通り、第１変形例では、エンドマークＥＭ１とテストパターンＴＭ１の印刷位置は、両者を印刷した時に、搬送方向の長さがＬ１２の２倍の長いマークを形成するように設定されている。両マークの印刷位置は、必ずしもこのような関係にある必要はなく、エンドマークＥＭ１とテストパターンＴＭ１の一部が重なってもよいし、両者の間に隙間ができても構わない。
【００５２】
エンドマークＥＭ１とテストパターンＴＭ１が接するか、一部重なって印刷される場合、いずれか一方のみが印刷された状態と、双方が印刷された状態とでは、マークのサイズが相違することになる。従って、かかる場合には、マークの位置に代えて、実施例と同様、マークのサイズに基づいてロール紙の適否を判断してもよい。
【００５３】
エンドマークＥＭ１とテストパターンＴＭ１の間に隙間ができる場合には、いずれか一方のみが印刷された状態と、双方が印刷された状態とでは、検出されるマークの数が相違することになる。従って、かかる場合には、マークの位置に代えて、マークの数に基づいてロール紙の適否を判断してもよい。つまり、マークが２つ検出された場合には、エンドマークＥＭ１とテストパターンＴＭ１の双方が印刷されていると判断し、マークが一つ検出された場合には、テストパターンＴＭ１のみが印刷されていると判断することができる。
【００５４】
Ｄ２．第２変形例：
図８は第２変形例としてのエンドマークおよびテストパターンを示す説明図である。第２変形例では、エンドマークＥＭ２として、図示する通り、用紙端から所定の位置にパンチ穴を設けるものとした。かかるパンチ穴は、ジャーナル記録装置３００において、パンチ機構を設けることにより開けることができる。図の例では、搬送方向に４つの穴を設けたが、穴の数およびサイズについては、任意に設定可能である。
【００５５】
第２変形例では、位置Ｐ２に示す通り、テストパターンＴＭ２を印刷したとしても、パンチ穴のエンドマークＥＭ２は隠滅されない。従って、パンチ穴の有無によって、印刷済みのジャーナルが誤セットされているか否かを検出することができる。また、パンチ穴の間の部分にテストパターンＴＭ２が印字されているか否かによって、感熱面の適否も判断することができる。
【００５６】
Ｄ３．その他の変形例：
エンドマークおよびテストパターンは、更に種々の変形例を構成可能である。例えば、エンドマークをテストパターンよりも濃く印刷するようにしてもよい。一例として、エンドマークは一定領域を完全に黒く塗りつぶし、テストパターンは網目パターンで塗りつぶすものとしてもよい。このように濃度を変えれば、テストパターンによってエンドマークは隠滅することができないため、実施例と同様の用紙点検処理を実行することが可能となる。
【００５７】
エンドマークは、用紙全幅に亘って記録するようにしても構わない。こうすれば、明細票発行装置２００にロール紙２２０をセットする時の軸方向のずれに関わらず、精度良く用紙点検処理を実行することができる。
【００５８】
実施例および変形例では、エンドマークをジャーナル記録装置３００が記録する例を示した。エンドマークは、ロール紙の終端付近に予め記録しておいてもよい。このエンドマークは、未使用のロール紙の始端には現れず、印字済みのジャーナルの始端にのみ現れることになるから、実施例等と同様の用紙点検処理を支障なく実現することができる。エンドマークを最初から記録しておく態様では、ジャーナル記録装置３００の構成を簡素化できる利点がある。
【００５９】
本発明は、テストパターンを印刷しないタイプの明細票発行装置２００に適用することもできる。テストパターンを印刷しない場合でも、エンドマークの有無を検知することにより、少なくとも印字済みのジャーナルの誤セットを回避することができる。
【００６０】
以上、本発明の種々の実施例について説明したが、本発明はこれらの実施例に限定されず、その趣旨を逸脱しない範囲で種々の構成を採ることができることはいうまでもない。例えば、本発明は、現金自動取引装置のみならず、共通のロール紙を明細票の発行とジャーナルの記録に使用可能な種々の取引装置に適用可能である。
【図面の簡単な説明】
【００６１】
【図１】実施例としての現金自動取引装置（以下、「ＡＴＭ」と言う）１００の概略構成を示す説明図である。
【図２】明細票発行装置２００の内部構造を模式的に示した説明図である。
【図３】ジャーナル記録装置３００の内部構造を模式的に示した説明図である。
【図４】エンドマークとテストパターンを示す説明図である。
【図５】ジャーナル記録処理のフローチャートである。
【図６】用紙点検処理のフローチャートである。
【図７】第１変形例としてのエンドマークおよびテストパターンを示す説明図である。
【図８】第２変形例としてのエンドマークおよびテストパターンを示す説明図である。
【符号の説明】
【００６２】
１０...ホストコンピュータ
１００...ＡＴＭ
１０１...紙幣取扱装置
１０２...操作部
１０３...入出金口
１０４...カード取扱機構
２００...明細票発行装置
２０２...搬送路
２０４...プラテンローラ
２０６...分離ローラ
２０８...ホッパ
２１０...制御ユニット
２１２...マーク検知センサ
２１４...光学センサ
２１６...カッタ
２１８...印字ヘッド
２２０...ロール紙
２２０ａ...始端
３００...ジャーナル記録装置
３０４...プラテンローラ
３０５...搬送ローラ
３０６...スプール
３０８...ホッパ
３１０...制御ユニット
３１２...エンドセンサ
３１４...光学センサ
３１６...手動カッタ
３１８...印字ヘッド
３２０、３２０ａ、３２２...ロール紙
４００...制御ユニット
【図１】
2005182276.tif 000003
【図２】
2005182276.tif 000004
【図３】
2005182276.tif 000005
【図４】
2005182276.tif 000006
【図５】
2005182276.tif 000007
【図６】
2005182276.tif 000008
【図７】
2005182276.tif 000009
【図８】
2005182276.tif 000010